(57)【要約】【課題】和装着付けの際基礎となる長襦袢の後衿を簡単に形成する事ができ、上段、中段、下段と三通りに高さを変えることで着物の個性に応じた着付けが行なえ、固定性に優れいるため取り除くことなく洗う事ができ構成簡単であることから定額で量産できる熱処理張り付け式着付け用具を提供する。【解決手段】上部通し７ａ中部通し７ｂ下部通し７ｃに仕切られた形状の衿抜き用紐通し布７（図２）を長襦袢１の背中心に左右対称で胸囲下線５の背面側には衿抜き用紐通し布７の底面８が平行になるよう配置固定する。長襦袢用紐９ａ、９ｂを衿抜き用紐通し布７に挿通し左右方向に突出して取り付け、身八つ口から長襦袢用紐を前方に出し、結び留める。【選択図】  図１
0003105289.tif 000002
【実用新案登録請求の範囲】
【請求項１】
長襦袢の両袖に４腕を通して着用し、後身頃背中心と胸囲下線の背面側とが交差する位置を目測し、上部通し、中部通し、下部通しに仕切られた形状の衿抜き用紐通し布を長襦袢の後身頃の背中心に左右対称で、胸囲下線の背面側には平行になるよう配置固定する。長襦袢用紐を、衿抜き用紐通し布に挿通させ左右方向に突出して取り付け、身八つ口から長襦袢用紐を前方に出し結び留める着付け補助具。
【請求項２】
衿抜き用紐通し布は上段、中段、下段と三段に挿通口を設けた形状に区切られ、長襦袢用紐を挿通させる部位を変えることで、衿の深さを選ぶ事が出来る、請求項１に記載の着付け補助具。
【請求項３】
長襦袢の後身頃の背中心に左右対称で胸囲下線の背面側に衿抜き用紐通し布の底面を平行になるよう配置、固定する事が条件の、請求項１、及び請求項２に記載の着付け補助具。
【考案の詳細な説明】
【技術分野】
【０００１】本考案は長襦袢の後衿の抜きの深さを三通り選べ、和服の衿姿美しくまた扱いも簡単な着付け補助具に関する。
【背景技術】
【０００２】従来長襦袢の後衿の形成手段として、長襦袢を着用し前身頃の合わせ位置を手で押さえながら後衿を下方向に引き下ろし、背面側から前身頃へと長襦袢用紐で結び留めるという方法で後衿の深さを決めていたが、この場合長襦袢用紐が遊行して固定され難い為、後衿の形状が安定せず着崩れが生じ易いという欠点があった。【０００３】また、長襦袢の後身頃に直接長襦袢用紐を縫い付けるという方法もあるが、着物の特徴に応じた衿姿を形成する必要が有るためその都度付け外し、位置を変えなければならないという欠点を有している。【０００４】身八つ口付近という大凡の部位指定方法があるが、体型、身体の特徴等で長襦袢用紐が脇腹を締め付ける事があるので、和装着付けの際息苦しさ、着付けの不具合を生じた。【０００５】また、後衿の抜きを安定、維持出来る様着用、乃至着付けるには、相当の熟練を要するものとなっていた。
【考案の開示】
【考案者が解決しようとする課題】
【０００６】本考案は上記のような問題点を解決するために、構成され着崩れせずに後衿を抜く事ができ、夫々の着物の特徴に適した後衿の深さを選ぶ事が出来る着付け補助具を提供する事を目的とする。
【課題を解決するための手段】
【０００７】そこで、本考案の着付け補助具は、上段、中段、下段と異なる高さを設けたバチ状の形状で、各段ともに長襦袢用紐を挿通可能となるよう各段、左右に挿通口を設け、形成し、衿抜き用紐通し布と長襦袢用紐を一対とし、後衿の深さに応じた部位に挿通させ、左右方向に突出して取り付け、身八つ口から身体の前方に出し結ぶ事とする。
【０００８】上段、中段、下段と三通りの高さを設けた事で、着物の個性及び特徴に応じた衿の深さを選ぶ事ができ、また、長襦袢用紐を挿通出来るよう挿通口を各段、左右に設け、長襦袢紐を衿抜き用紐通し布に挿通させ、身八つ口から前方に出し結び留める事で、後ろ手を要する事なく簡単に後衿を形成し和服姿を美しく着こなせる。
【０００９】また、バチ状に形成する事で後衿を浅く、深く、より深くと形成する際に生じる、衿抜き用紐通し布に加わる負荷にも対応出来るよう下段から中段、上段と高さが上がる毎に横幅も広くなるよう形成されている事を特徴とする。バチ状とは、正確には世間一般にいう台形を１８０度回転させた形状を示す。以下、バチ状を用いて語句を表記、記載する。
【００１０】長襦袢の背面側、身八つ口付近という配置、固定位置を指定せず、胸囲下線の背面側と長襦袢の後身頃とが交差する部位という明確な位置を指定した。
【００１１】また、個々で異なる胸囲下線の背面側と長襦袢の背中心が交差する部位に、衿抜き用紐通し布を配置、固定し、長襦袢用紐を挿通させ、身八つ口から前方に出し結び留める事で、身長、体型に応じた和装着付けを行なう事が容易となる。
【００１２】また、胸囲下線の背面側と長襦袢の後身頃とが交差する部位に、配置、固定する事で長襦袢用紐が肋骨上に接するため、腹部や脇腹を圧迫する事無く、楽に着心地良く和服を着用する事が出来る。
【考案の効果】
【００１３】上記の様に、衿抜き用紐通し布は、三通りの衿姿を形成出来るのはもちろん、張り付ける事で手持ちの長襦袢を使用でき、身長、体型に応じ、着心地良く和服を着用でき、構成簡単であることから低額で量産できる。
【考案を実施するための最良の形態】
【００１４】以下、本考案の実施形態を図面に基づいて説明する。図１はこの考案に係る長襦袢の全体背面図である。１は、長襦袢の背面側を示し、２は、両袖を示す。３は、長襦袢の１の後身頃を示し、４は、後身頃３の背中心を示す。５は、図４で示す胸囲下線、６は、胸囲下線５の背面側を示す。７は、衿抜き用紐通し布の配置、固定位置を示しており上段７ａ、中段７ｂ、下段７ｃと区切られ下段７ｃに長襦袢用紐９ａ、９ｂが挿通され、左右方向に突出した形態を示す。８は衿抜き用紐通し布７の底辺を示し、１０ａ、１０ｂは身八つ口を示す。【００１５】図２は、衿抜き用紐通し布の詳細な図を示す。上段７ａ、中段７ｂ、下段７ｃと長襦袢用紐が挿通可能なるよう区切られており、材質が異なる二枚の布を縫合して各段左右に挿通口を設ける。寸法は、上底を１３ｃｍ、下底を１０ｃｍ、高さを各段で３ｃｍ、上底と下底に５ｍｍの縫代を含むため、全長で１０ｃｍとなる。【００１６】実施形態では、表面となる布にほつれが生じないよう各四辺にミシン縫いを施す。表面となる布と同形で接着面を有する布の接着面が長襦袢の背面側布に貼付出来るようその面を伏せ、その上に挿通可能とするため必要となる各四辺にミシン縫いを施した形状の布を重ね合わせ、上底１３ｃｍ、下底１０ｃｍとなる辺を縫合する。これらの高さとなる辺を７ａ、７ｂ、７ｃと区切るためその幅３ｃｍとなるよう計測し左右方向に横断するよう縫合する。全ての縫合、縫製はミシン縫いによるものとする。【００１７】実施形態でその素材となる布は長襦袢の背面側に貼付、固定するため、熱による粘着性を有した素材を使用し、また、挿通可能とするよう形成加工する布は長襦袢と同じ材質材、若しくはガーゼ布、木綿布、ナイロン布等が望まれ、また配色も長襦袢と同色が望ましい。【００１８】次にこれらの着付け補助具、衿抜き用紐通し布７を使用して長襦袢１を着る着付けについて説明する。【００１９】衿抜き用紐通し布７を長襦袢１に取り付ける。この取り付け方法は胸囲下線５の背面側６と後身頃３の背中心４とが交差する部位に胸囲下線５の背面側６には衿抜き用紐通し布７の底面８が平行に、また長襦袢１の後身頃３の背中心４には左右対称になるよう配置、アイロンで固定する。【００２０】個々で異なる胸囲下線は胸囲下着を着用のまま長襦袢１の両袖２に腕を通した姿で着用し背面側６を目測するとより理解し易い。【００２１】固定された衿抜き用紐通し布７の各段左右に設けられた挿通口に、長襦袢用紐９ａ、９ｂを挿通し左右方向に突出させる。身八つ口１０ａ、１０ｂから長襦袢用紐９ａ、９ｂを前方に出し結び留める。【００２２】衿抜き用紐通し布７の下段７ｃは普段着等での衿抜き、中段７ｂは訪問着等での衿抜き、上段７ａはより深い衿姿が必要となる着物等、夫々の個性に適した部位を使用するのが望ましい。【００２３】また、衿抜き用紐通し布７の上段７ａ、中段７ｂ、下段７ｃの幅を３ｃｍとした事由は、一般に長襦袢用紐として使用されている紐幅が３ｃｍ程度であることから、十分に挿通可能であると検討付け、適用した。【００２４】長襦袢用紐９ａ、９ｂを衿抜き用紐通し布７の上段７ａ、乃至中段７ｂあるいは下段７ｃに挿通、緊定した時に後衿を下方に下げた状態で固定されるため衿の抜きが安定する。【００２５】この考案は、以上詳途したように衿抜き用紐通し布を上段、中段、下段に高さを変え、区切る事で後衿の深さを選ぶ事ができ、バチ状に形成する事で、衿抜き用紐通し布に長襦袢用紐を挿通、緊定する事で起りうる長襦袢用紐による負荷を、軽減出来るであろうと思われる形状に構成した。【００２６】そして、個々で異なる胸囲下線の背面側と後身頃の背中心とが交差する部位を、配置、固定の条件とする事で夫々の体型、身長、また着物の特徴に応じた後衿を容易に形成でき、後ろ手乃至、熟練を要しなくても簡単に、且つ確実に後衿を形成、維持出来るようになる。しかも、着物や浴衣にも利用でき、同様の効果が得られるものとなる。
【図面の簡単な説明】
【００２７】
【図１】本考案に係る長襦袢に実施形態を取り付けた状態の全体背面図である。
【図２】本考案の実施形態を示す図である。
【図３】同実施形態を使用した際の後衿側面を深さが異なる様を三通り示した図である。
【図４】長襦袢に実施形態を取り付けた状態で着用し長襦袢用紐を挿通させ身八つ口から前方に出し結ぶ状態を示す図である。
【符号の説明】
【００２８】１、襦袢
２、両袖
３、後身頃
４、背中心
５、胸囲下線
６、背面側
７、７ａ、７ｂ、７ｃ、着付け補助具
８、着付け補助具の底面
９ａ、９ｂ、長襦袢用紐
１０ａ、１０ｂ、身八つ口
【図１】
0003105289.tif 000003
【図２】
0003105289.tif 000004
【図３】
0003105289.tif 000005
【図４】
0003105289.tif 000006